(57)【要約】【課題】  小さな表示画面であっても、映像コンテンツ制作者が意図したとおりの画面構成で、映像コンテンツ上重要な領域を自動的に表示し続けるような画像表示制御装置を提供する。【解決手段】  第１の所定数（Ｍ）の画素で構成される第１の画像（Ｉｏ；Ｄｖ）から、第１の所定数（Ｍ）より小さな第２の所定数（Ｎ）の表示画素で構成される画面（Ｉｄ）上で表示される第２の画像（Ｉｄ（Ａｄ（Ｘ）））を生成する画像表示制御装置（Ａｃ、Ｄ、Ｓｃ）において、推奨表示領域指定器（５）は第１の画像（Ｉｏ；Ｄｖ）上の第１の所定数（Ｍ）より小さな第３の所定数（Ｍ（Ａｄ（Ｘ）））の画素で構成される１つ以上の任意の領域（Ａｄ（Ｘ））を第２の画像（Ｉｄ（Ａｄ（Ｘ）））として指定し、推奨表示領域指定器（５）は任意の領域（Ａｄ（Ｘ））と第１の画像（Ｉｏ；Ｄｖ）と同期して規定する推奨表示領域情報（Ｉａｄ）を生成する。【選択図】  図６
2005316007.tif 000002
【特許請求の範囲】
【請求項１】
第１の所定数の画素で構成される第１の画像から、当該第１の所定数より小さな第２の所定数の表示画素で構成される画面上で表示される第２の画像を生成する画像表示制御装置であって、
前記第１の画像上の、前記第１の所定数より小さな第３の所定数の画素で構成される１つ以上の任意の領域を、前記第２の画像として指定する推奨表示領域指定手段と、
前記任意の領域と前記第１の画像と同期して規定する推奨表示領域情報を生成する推奨表示領域指定手段とを備える画像表示制御装置。
【請求項２】
前記第１の画像のデータを供給する第１の画像データ供給手段と、
前記推奨表示領域情報を供給する推奨表示領域情報供給手段とを、さらに備える請求項１に記載の画像表示制御装置。
【請求項３】
前記推奨表示領域情報は前記第１の画像データの付加データとして供給されることを特徴とする請求項２に記載の画像表示制御装置。
【請求項４】
前記推奨表示領域情報は、前記任意の領域が有効となる前記第１の画像の表示時間情報を含むことを特徴とする請求項３に記載の画像表示制御装置。
【請求項５】
前記表示時間情報は、前記任意の領域が有効になってからの継続時間を含むことを特徴とする請求項４に記載の画像表示制御装置。
【請求項６】
前記推奨表示領域情報Ｉａｄは、前記任意の領域の属性情報を含むことを特徴とする請求項３に記載の画像表示制御装置。
【請求項７】
前記属性情報は、複数指定された推奨表示領域のそれぞれが前記第２の画像として表示される優先度であることを特徴とする請求項３に記載の画像表示制御装置。
【請求項８】
前記領域属性情報は、前記推奨表示領域の表示する前記第２の画像に必要な表示画素の数である画素数閾値を含むことを特徴とする請求項３に記載の画像表示制御装置。
【請求項９】
前記画素数閾値をＴＨｎ（Ｘ）とし、前記推奨表示領域に含まれる画素数をＭ（Ａｄ（Ｘ））とし、当該推奨表示領域の表示する倍率をＲｄとするとき、ＴＨｎ（Ｘ）＝Ｒｄ×Ｍ（Ａｄ（Ｘ））の関係を満たすことを特徴とする請求項８に記載の画像表示制御装置。
【請求項１０】
前記第１の所定数をＭとし、前記第２の所定数をＮとし、前記推奨表示領域Ａｄ（Ｘ）を等倍で表示するために必要な最低数の画素数をＮｍｉｎ（Ａｄ（Ｘ））とすると、Ｎ／Ｍ＜Ｒｄ≦Ｎｍｉｎ（Ａｄ（Ｘ））／Ｍ（Ａｄ（Ｘ））≦１の関係を満たすことを特徴とする請求項９に記載の画像表示制御装置。
【請求項１１】
前記領域属性情報は、前記推奨表示領域内に含まれる映像の特徴を表す情報であることを特徴とする請求項３の画像表示制御装置。
【請求項１２】
前記推奨表示領域情報は、前記推奨表示領域の前記第１の画像における位置を表す位置情報を含むことを特徴とする請求項３に記載の画像表示制御装置。
【請求項１３】
前記推奨表示領域が矩形の場合には、前記位置情報は当該推奨表示領域の対角点の座標であることを特徴とする請求項１０に記載の画像表示制御装置。
【請求項１４】
前記推奨表示領域が円形の場合には、前記位置情報は当該推奨表示領域の中心点の座標と半径であることを特徴とする請求項１０に記載の画像表示制御装置。
【請求項１５】
前記第１の画像データ供給手段は放送であり、前記推奨表示領域情報供給手段は通信ネットワークであることを特徴とする請求項４に記載の画像表示制御装置。
【請求項１６】
前記第１の画像データ供給手段と前記推奨表示領域情報供給手段とは同一であることを特徴とする請求項４に記載の画像表示制御装置。
【請求項１７】
前記第１の画像データ供給手段と前記推奨表示領域情報供給手段とは記録装置であり、前記第１の画像のデータと前記推奨表示領域情報は同一の記録媒体に記録されることを特徴とする請求項１６に記載の画像表示制御装置。
【請求項１８】
前記記録媒体は、光ディスク、磁気ディスク、光磁気ディスク、磁気テープ、および半導体メモリを含む不揮発性メモリのグループから選択されることを特徴とする請求項１７に記載の画像表示制御装置。
【請求項１９】
第１の所定数の画素で構成される第１の画像から、当該第１の所定数より小さな第２の所定数の表示画素で構成される画面上で表示される第２の画像を生成する画像表示制御装置であって、
前記第１の画像のデータを受信する第１の画像受信手段と、
前記第１の画像中の１つ以上の任意の領域を、当該第１の画像と同期して、前記第２の画像として指定する推奨表示領域情報を受信する推奨表示領域情報受信手段と、
前記推奨表示領域情報を記憶する記憶手段と、
前記第１の画像のデータをデコードして前記第１の画像を抽出して出力する画像出力手段と、
前記推奨表示領域情報に基づいて、前記画像抽出手段を制御する画像出力制御手段とを備える画像表示制御装置。
【請求項２０】
前記推奨表示領域情報に基づいて、前記第２の画像として表示する推奨表示領域の選択を可能にする推奨表示領域選択手段をさらに備える請求項１９に記載の画像表示制御装置（Ｄ）。
【請求項２１】
前記選択された複数の推奨表示領域を切り替えて前記第２の画像として表示できることを特徴とする請求項２０に記載の画像表示制御装置。
【請求項２２】
前記推奨表示領域の切り替えは、視聴者の操作に基づくことを特徴とする請求項２１に記載の画像表示制御装置（Ｄ）。
【請求項２３】
前記推奨表示領域の切り替えは、時間の経過に基づくことを特徴とする請求項２１に記載の画像表示制御装置。
【請求項２４】
前記選択された複数の推奨表示領域は、前記画面を分割して表示および当該推奨表示領域を互いに重ね合わせて表示の何れかの方法で表示されることを特徴とする請求項１９に記載の画像表示制御装置。
【発明の詳細な説明】
【技術分野】
【０００１】
本発明は、表示すべき原画像データを構成する画素の総数より少ない数の表示画素で構成される表示装置において、原画像の任意の部分を任意の数の表示画素で拡大表示を可能にする画像表示制御装置に関する。
【背景技術】
【０００２】
映画館等の施設に赴くのではなく、自身の環境下で映像コンテンツを視聴する場合には、視聴者は先ず映像コンテンツデータを入手する必要がある。そして、ユーザは、映像コンテンツ再生装置を利用して入手した映像コンテンツデータから映像信号を生成させ、さらに適当な表示装置に再生画像として表示させる必要がある。映像コンテンツデータは、テレビ放送等に代表されるように放送局等の施設から所定の伝送路を介して配信される場合と、映像コンテンツデータが媒体に記録された状態で提供される場合の２通りに大別できる。前者は視聴者の環境外に固定的に存在しており、後者は視聴者の環境内に可搬的に存在する。この意味において、前者を固定型映像コンテンツデータ源とし、後者を可搬型映像コンテンツデータ源と識別する。
【０００３】
表示装置は、屋内外で固定的に設置されて用いられる固定型表示装置と、屋内外に渡って移動して用いることができる可搬型表示装置との２通りに大別できる。前者は、家庭等の建物内に設置されるテレビジョン装置におけるモニタに代表される。後者はカーナビゲーションシステムに組み込まれているテレビジョン装置や、携帯型の映像機器に組み込まれている液晶モニタに代表される。この意味において、前者を固定型表示装置とし、後者を可搬型表示装置と識別する。ユーザは固定型映像コンテンツデータ源および可搬型映像コンテンツデータ源と固定型表示装置および可搬型表示装置とを様々に組み合わせて、映像コンテンツを視聴している。
【０００４】
映像コンテンツ自体に関しては、近年、地上波デジタル放送（固定型映像コンテンツ原）やＤＶＤ（可搬型映像コンテンツ）等、絶対解像度が従来に比べて飛躍的に高められた画像データを提供する映像コンテンツデータ源が実用化されている。なお、画像データの絶対解像度とは、一画面の画像を構成する画素の総数である。また、画像表示制御装置においても、画像データと同様に、一画面の画像も所定数の表示画素で構成される。このように、画像データおよび表示画面（画像表示制御装置）において、画像を構成する画素の総数を絶対解像度と呼び、プリンタやモニタを含む画像再生装置における単位長さ或いは単位面積当たりの画素或いはドット数を表す相対解像と識別するものとする。
【０００５】
映像コンテンツデータの画像が物理的な大きさを有さないのに反して、表示装置における画素は物理的な大きさを有し、表示画面および表示装置自体も大きさを有している。それゆえに、映像コンテンツデータの絶対解像度は、伝送、保持、および処理の負荷に影響するデータサイズの制約に決定されることが多い。一方、表示画面の絶対解像度は、通常、表示装置の物理的なサイズや、重量、取り扱い、およびコスト等の製造上および使用上の制約により決定される。
【０００６】
説明の便宜上、映像コンテンツデータの画像が、縦がＭｖ個、横がＭｈ個の画素から構成されるラスタ画像であるとすると、当該画像の絶対解像度は、Ｍｖ×Ｍｈである。同様に、画像表示制御装置の表示画面は、縦がＮｖ個、横がＮｈ個の表示画素から構成されるラスタ画像を表示すると、当該表示画面の絶対解像度は、Ｎｖ×Ｎｈである。Ｍｖ、Ｍｈ、Ｎｖ、およびＮｈは、それぞれ、上述の制約によって決定される自然数である。なお、説明の簡便化のために、必要に応じて、映像コンテンツデータの画像の絶対解像度Ｍｖ×ＭｈをＭと略称し、表示画面の絶対解像度Ｎｖ×ＮｈをＮと略称する。さらに、必要に応じて、映像コンテンツデータの画像の絶対解像度Ｍを、画像絶対解像度Ｍと略称し、表示画面の絶対解像度Ｎを画面絶対解像度Ｎと略称するものとする。
【０００７】
つまり、画像絶対解像度Ｍおよび画面絶対解像度Ｎは、次式（１）および（２）で表される。
Ｍ＝Ｍｖ×Ｍｈ                            ・・・・  （１）
Ｎ＝Ｎｖ×Ｎｈ                            ・・・・  （２）
【０００８】
画像絶対解像度Ｍは、通常、主に映像コンテンツデータ源の種類に対応する所定のデータフォーマットと関連して決定されている。可搬型映像コンテンツデータ源を例にとれば、ＣＤ（Ｒ）からＤＶＤ（Ｒ）へ、さらに、赤色レーザから青色レーザへの変化に対応する記録密度の増大が、画像の絶対解像度の増大を促進している。また、固定型映像コンテンツデータ源も、アナログ放送からデジタル放送へと伝送路帯域幅が拡大するに応じて、画像の絶対解像度の増大が促進される。
【０００９】
一方、画面絶対解像度Ｎは、映像コンテンツデータの画像の絶対解像度に適合して決定される場合と、画像表示制御装置が用いられる種々な製品の用途に関する物理的な制約により決定される場合とがある。後者の具体的な例としては、可搬型表示装置の場合には、ユーザが自身で持ち運ぶことができる携帯型テレビジョン装置や、カーナビゲーションシステム等に組み込まれる車載型のテレビジョン装置や、携帯電話等のユーザが自身に装着できる装着型機器に組み込まれるテレビジョン装置（特許文献１）等がある。これらの可搬型表示装置は、固定型表示装置に比べて小型かつ軽量である必要があり、一般的に、携帯型、車載型、装着型の順番でより小型かつ軽量である。
【００１０】
固定型表示装置の場合には、普通のユーザの家庭（屋内）で用いられるテレビジョン装置や、或いは業務用として屋内外で用いられる大画面のテレビジョン装置等サイズに大きな違いがある。なお、可搬型表示装置および固定型表示装置は、それぞれ上述の如く例示した物の他に種々の表示装置があることは言うまでもない。
【００１１】
画像表示制御装置においては、表示画素には大きさや重さ等の物理的制約があるために、コストを度外視しても、画面絶対解像度Ｎは個々の表示画素の大きさと表示画面（画像表示制御装置）の大きさとの関係で決まる。一般的には、可搬型表示装置の画面絶対解像度Ｎは、固定型表示装置の画面絶対解像度Ｎより小さく、さらに表示画面の大きさに比例して小さくなる傾向がある。
【００１２】
さらに、半導体メモリ等の利用による可搬型映像コンテンツデータ源の小型化も、可搬型表示装置の一層の小型化を可能にしている。加速的な進行が予期される画像絶対解像度Ｍの増大および画面絶対解像度Ｎの減少に対応して、それぞれの画像表示制御装置において映像コンテンツを適正に表示できる画像表示制御装置に対する需要が高まっている。
【特許文献１】特開２００１−２８５４３６号公報
【発明の開示】
【発明が解決しようとする課題】
【００１３】
従来のアナログのテレビ放送用の固定型表示装置は、その画面絶対解像度Ｎが配信されるアナログの映像コンテンツデータの画像絶対解像度Ｍに適切に対応しているので、映像コンテンツの原画像の品質を損なうことなく再生表示できる。しかしながら、上述のような映像コンテンツと表示装置との様々な組み合わせにおいて、必然的に生じる画面絶対解像度Ｎが画像絶対解像度Ｍに比べて小さい場合（Ｍ＞Ｎ）には、以下に述べるような表示画像の映像コンテンツデータの画像に対する品質劣化が不可避である。
【００１４】
これは、Ｍ個の画素で構成される原画像を、表示装置のＮ個の画素で構成させるラスタマトリックスで表現しなければならないためである。言い換えれば、映像コンテンツデータにおいてＭ個の画像画素Ｐｏで規定される原画像Ｉｏが、表示装置においてはＮ個の表示画素Ｐｄで構成される表示画像Ｉｄで代表されることを意味する。
【００１５】
説明の便宜上、ＭがＮの整数倍であり、原画像Ｉｏおよび表示画面のアスペクト比が同一である場合を例に述べる。この場合、映像コンテンツデータにおけるＭ／Ｎ（２以上）個の画像画素Ｐｏを、表示装置の１個の表示画素Ｐｄで表現することになる。この場合、原画像Ｉｏの画像絶対解像度ＭがＮ／Ｍ（１／２以下）倍に減少されたが如く、Ｎ／Ｍ（１／２以下）倍に縮小された表示画像Ｉｄが表示される。そして、表示装置においては、原画像ＩｏがＮ／Ｍ倍に縮小された表示画像Ｉｄが表示される。
【００１６】
原画像Ｉｏに対する表示画像Ｉｄの縮小率Ｒｒｄは次式（３）で表される。
Ｒｒｄ＝Ｎ／Ｍ                            ・・・・  （３）
【００１７】
絶対解像度をＮ／Ｍ倍に縮小する方法は種々あるが、いずれの場合も得られる表示画像Ｉｄは原画像Ｉｏの正確なＮ／Ｍ縮小ではない。つまり、表示装置における表示画素Ｐｄの１つが、原画像のＭ／Ｎ個の画像画素Ｐｏで規定される表示画像の画素情報に対応している。つまり、表示画素Ｐｄの画素情報は、それゆえに、画素情報の観点からも、映像コンテンツの原画像Ｉｏおよび画像画素Ｐｏは、平均化処理等によって変質された表示画像Ｉｄとして表示される。このようなＮ／Ｍ倍の縮小表示および画素変質は、映像コンテンツ画像の表示劣化を意味する。
【００１８】
つまり、映像コンテンツデータの原画像Ｉｏとしては識別可能な数の画素Ｐｏで表現されている細部も、表示装置においては対応する表示画像Ｉｄの数が不十分であるために表示画像Ｉｄにおいては識別不可になる。このような原画像Ｉｏの画像絶対解像度Ｍに対する表示装置の画面絶対解像度Ｎの不足は、上述のように、主に可搬型表示装置の小型化および映像コンテンツデータの高絶対解像度化に起因する。なお、原画像Ｉｏおよび表示画像Ｉｄのアスペクト比が異なり、且つＭがＮの整数倍で無い場合は、表示画像の品質はさらに劣化する。
【００１９】
つまり、可搬型表示装置は、携帯型ＤＶＤ再生装置、携帯型テレビジョン、車載型テレビジョン装置、および装着型テレビジョン等に代表されるように、小型且つ軽量であることが必須条件である。そして、表示画面の小型化は、表示画素Ｐｄ自体の小型化、つまり精細化が不可避である。しかしながら、製造技術の制約上、表示画素Ｐｄの最小の大きさ（精細化）には限界がある。それ故に、表示装置の画面絶対解像度Ｎは、表示画面の大きさに対する生産技術の制約に応じて、自動的に決まると言っても過言ではない。小型化された可搬型表示装置の多くは、表示すべき映像コンテンツ画像の画像絶対解像度Ｍより低い画面絶対解像度Ｎを有している。
【００２０】
さらに、映像コンテンツデータに関しても、地上波デジタル放送やＤＶＤ等で配信される映像コンテンツ画像は、従来の映像コンテンツの画像の絶対解像度Ｍｃに比べて遙かに高い絶対解像度Ｍを有している。これら近年実用化された高絶対解像度Ｍの映像コンテンツの画像表示には、従来の表示装置の多くの絶対解像度Ｎは大幅に不十分である。具体的には、地上波デジタル放送を変換して従来のアナログ放送用のテレビジョン装置で再生表示する場合や、ＤＶＤを従来のテレビジョン装置では再生表示する場合が当てはまる。さらに、映像コンテンツの高絶対解像度化と、可搬型表示装置の小型化による低絶対解像度化との組み合わせにおいては、表示装置の映像コンテンツに対する絶対解像度、つまり表示すべき画像を構成する画素数Ｍに対する表示する画素数Ｎの不足は著しい。
【００２１】
例えば、家庭用のテレビジョン装置での視聴用に作られた映像コンテンツやＤＶＤソフト等の画像を、携帯電話や腕時計等の小型の表示画面に表示する場合は特に、表示画面の絶対解像度Ｎが原画像の絶対解像度Ｍに対して著しく不足するため、原画像データにおいては十分な数な画素によって明確に表現されている部分であっても、表示装置においては表示画素が不足するために鮮明に表示することは不可能である。表示された画像においては、特に、登場人物の表情等は判別することができない。
【００２２】
この対策としては、ユーザ自身が表示装置を操作して、細部を鮮明に見たいと望む映像コンテンツ画像の部分を、Ｎ／Ｍ倍の数の表示画素では無く、Ｎ／Ｍ倍以上１倍（つまり同数）の範囲の任意の数の表示画素で表示させるように画像表示制御装置を構成することが考えられる。なお、この処理は、画像表示制御装置の通常の状態時に比べて、原画像を１倍以上且つＭ／Ｎ倍以下の任意の倍率で拡大して表示させることでもある。
【００２３】
しかしながら、原画像が刻々と変化する動画である場合には、ユーザが拡大表示処理を望む対象部分の位置も変化する。その変化に追従して、任意の処理対象部分を任意の倍率で拡大表示させることは困難であり、ユーザの負担も非常に大きい。
【００２４】
それゆえに、さらなる対策として、画像の中心部分等の特定の部分を一定の拡大率で一律に拡大表示するという方法も考えられる。なお、低絶対解像度の表示装置において、高絶対解像度の画像の選択された特定の部分を拡大表示させれば、選択されなかった部分は表示できない。さらに、視聴者が注目する重要な部分が画面の中心部分のような特定の部分に常に在るとは限らず、重要な部分を適切なサイズで表示し続けることも不可能である。
【００２５】
また、映像コンテンツには、ユーザ、つまり視聴者に対してどのように見てもらいたいというコンテンツ製作者の意図が込められている。しかしながら、特定の部分を一律的に拡大表示させれば、映像コンテンツ制作者の意図に反する画面構成になってしまう。
【００２６】
これらの問題を解決する方法として、同一内容の映像コンテンツを、表示装置の絶対解像度の違いに応じて、異なる絶対解像度を有する映像コンテンツデータを作成して配信し、表示装置側で受信した映像コンテンツデータのうちで、当該表示装置の絶対解像度に適した絶対解像度を有するものを選択して、画像の再生表示をすることも考えられる。しかしながら、このように、同一内容の映像コンテンツに対して、絶対解像度が異なるだけの複数の映像コンテンツデータを用意して配信することは、伝送帯域の無駄使いであり好ましくない。
【００２７】
よって、本発明は、表示すべき映像コンテンツの画像に比べて絶対解像度が小さな画像表示装置において、映像コンテンツ制作者の意図に対応して、映像コンテンツ画像の特定領域を自動的に表示し続けるような画像表示制御装置を提供することを目的とする。
【課題を解決するための手段】
【００２８】
この目的を達成するために、本発明は、第１の所定数の画素で構成される第１の画像から、当該第１の所定数より小さな第２の所定数の表示画素で構成される画面上で表示される第２の画像を生成する画像表示制御装置であって、
前記第１の画像上の、前記第１の所定数より小さな第３の所定数の画素で構成される１つ以上の任意の領域を、前記第２の画像として指定する推奨表示領域指定手段と、
前記任意の領域と前記第１の画像と同期して規定する推奨表示領域情報を生成する推奨表示領域指定手段とを備える。
【発明の効果】
【００２９】
本発明は、映像を小型の表示画面に表示するときに推奨される表示領域の情報を、映像コンテンツに付加することで、視聴者が手間をかけることなく、また、映像の伝送帯域をほとんど増加させることなく、小型の表示画面であっても映像構成上重要な部分を見やすく表示できる。
【発明を実施するための最良の形態】
【００３０】
（第１の実施形態）
先ず、図１を参照して、本発明にかかる画像表示制御装置における画像表示の基本的概念について説明する。上述のように、本発明においては、表示すべき映像コンテンツの画像絶対解像度Ｍに比べて画面絶対解像度Ｎが小さな画像表示装置において、映像コンテンツ制作者の意図に沿って映像コンテンツ画像の原画像Ｉｏの特定領域を自動的に表示し続けることを可能ならしめることを目的としている。この目的の実現のために、本発明において再生表示対象である映像コンテンツデータは、当該特定の領域を示す推奨表示領域情報Ｉａｄを含むように構成される。そして、後ほど詳述する推奨表示領域情報Ｉａｄに基づいて、以下に述べるように推奨表示領域Ａｄが拡大表示される。
【００３１】
図１に、本発明にかかる画像表示制御装置において、画像表示される映像コンテンツデータＤｃの原画像Ｉｏと、画像表示装置で表示される表示画像Ｉｄとを対比して示す。同図において、原画像Ｉｏの内部で点線で囲まれた領域が表示装置の表示画面において拡大表示される推奨表示領域Ａｄを示している。原画像Ｉｏは静止画および動画のいずれでも良いが、本実施形態においては動画とする。よって、推奨表示領域Ａｄの動画である原画像Ｉｏにおける位置は逐次変化する。推奨表示領域Ａｄの絶対解像度を領域絶対解像度Ｍ（Ａｄ）とすると、領域絶対解像度Ｍ（Ａｄ）は当然原画像Ｉｏの絶対解像度Ｍより小さく、さらに表示画像Ｉｄの画面絶対解像度Ｎ以下であるように決定される。
【００３２】
つまり、推奨表示領域Ａｄを画面絶対解像度Ｎの表示画像Ｉｄの一部或いは全部として拡大表示させるためには、次式（４）で表される関係が満たされる必要がある。
Ｍ（Ａｄ）≦Ｎ＜Ｍ                               ・・・・  （４）
【００３３】
なお、図１においては、原画像Ｉｏに推奨表示領域Ａｄが１つだけ設定されている場合を例示しているが、推奨表示領域Ａｄを複数設定してもよい。本明細書において、複数設定された推奨表示領域Ａｄのそれぞれを推奨表示領域Ａｄ（１）、Ａｄ（２）、・・・、Ａｄ（ｘ）と表現し、全体は推奨表示領域Ａｄ（Ｘ）と総称する。なお、ｘおよびＸはそれぞれ任意の自然数である。そして、推奨表示領域Ａｄ（Ｘ）の絶対解像度を領域絶対解像度Ｍ（Ａｄ（Ｘ））と総称する。
【００３４】
映像コンテンツデータＤｃには、このような推奨表示領域Ａｄ（Ｘ）を指定する推奨表示領域情報Ｉａｄが含まれている。推奨表示領域情報Ｉａｄは、推奨表示領域Ａｄ（Ｘ）を拡大表示させるために必要な諸元を規定する領域属性情報Ｉａｐを含む。領域属性情報Ｉａｐは、推奨表示領域Ａｄ（Ｘ）自身が有する性質と、表示画面（表示装置）に対する要求とに大別される。前者を推奨表示領域属性Ａａと称し、後者を表示画面要求Ｒｑと称する。
【００３５】
推奨表示領域属性Ａａには、同一の映像コンテンツデータＤｃに設定された複数の推奨表示領域Ａｄ（Ｘ）の原画像Ｉｏにおける位置（アドレス）、領域絶対解像度Ｍ（Ａｄ（Ｘ））、優先度、アスペクト比、映像の特徴を表す情報等が含まれる。後述するように、推奨表示領域属性Ａａは、ユーザが映像コンテンツ画像（原画像Ｉｏ）のどの部分（推奨表示領域Ａｄ（Ｘ））をどのように拡大表示させるかの選択判断の基準として有用である。
【００３６】
優先度は、推奨表示領域情報Ｉａｄに記述される推奨表示領域Ａｄ（Ｘ）の個々の順番でも良い。映像の特徴としては、例えば、人物の名前、チーム名、スポーツのポジション、およびスコア表示のようなものが挙げられる。要は、ユーザが映像を認識するに便利な事項であれば、映像の特徴として設定できる。
【００３７】
推奨表示領域Ａｄ（Ｘ）の原画像Ｉｏにおける位置、つまりアドレスは、推奨表示領域Ａｄ（Ｘ）が本実施形態におけるように矩形領域の場合にはその対角点の座標で指定しても良く、推奨表示領域Ａｄが円形領域の場合には、その中心点の座標と半径で指定しても良い。推奨表示領域Ａｄ（Ｘ）の形状は矩形や円形に限定されるものではなく、アドレスが指定できる任意の形状に設定できる。
図２に、異なるアスペクト比を有する複数の推奨表示領域Ａｄ（Ｘ）が設定されている例を示す。同図に示すように、２インチ画面用のアスペクト比３：４（横：縦）の推奨表示領域Ａｄ（１）が設定され、さらに、７インチ画面用のアスペクト比４：３の推奨表示領域Ａｄ（２）が設定されている。なお、推奨表示領域Ａｄ（１）は、推奨表示領域Ａｄ（２）の内部に重複して設定されている。
【００３８】
表示画面要求Ｒｑには、推奨表示領域Ａｄ（Ｘ）を表示装置に拡大表示させるために最低必要な画面絶対解像度である最低表示絶対解像度Ｎｍｉｎ（Ａｄ（Ｘ））、および最適な画面絶対解像度である推奨表示絶対解像度Ｎ（Ａｄ（Ｘ））、再生時間Ｔ（Ｄｖ）、閾値ＴＨｎ（Ｘ）等を含む。後述するように、表示画面要求Ｒｑに基づいて、表示装置の画面絶対解像度Ｎに応じて、拡大表示できる推奨表示領域Ａｄ（Ｘ）およびその可能な表示パターンなどをユーザに知らせることができる。
【００３９】
再生時間Ｔ（Ｄｖ）は、映像再生の開始時刻や、再生開始後の経過時間、ＭＰＥＧのＰＴＳ（Ｐｒｅｓｅｎｔａｔｉｏｎ  Ｔｉｍｅ  Ｓｔａｍｐ）等、映像を再生する時間と、推奨表示領域Ａｄ（Ｘ）の有効となる時間を同期させることができる情報であれば良い。再生時間Ｔ（Ｄｖ）が省略されている場合には、推奨表示領域情報Ｉａｄを受け取った時点で有効となるか、推奨表示領域情報Ｉａｄの入ったパケットと連続して受け取った映像データＤｖのパケットを再生する時点で、推奨表示領域Ａｄ（Ｘ）を有効となるように処理する。
【００４０】
また、推奨表示領域Ａｄ（Ｘ）が有効となってから無効になるまでの期間は、上述のように再生時間Ｔ（Ｄｖ）に基づく処理による方法以外に、推奨表示領域Ａｄ（Ｘ）の有効時間を表す情報である有効時間Ｔ（Ａｄ（Ｘ））を設定しても良い。有効時間Ｔ（Ａｄ（Ｘ））は、再生時間Ｔ（Ｄｖ）と同様に推奨表示領域Ａｄ（Ｘ）が無効となる期間を指定しても良いし、推奨表示領域Ａｄ（Ｘ）が有効となってから無効となるまでの経過時間を指定しても良い。また、あらかじめ決められた一定の継続時間で無効となるように設定しても良い。さらに、推奨表示領域Ａｄを無効にする情報が入力されるまで、現在の推奨表示領域Ａｄ（Ｘ）を有効のままにしても良い。また、推奨表示領域情報Ｉａｄを上述のように独立ＰＥＳで送るのではなく、映像パケットのＴＳアダプテーションフィールド等のプライベートデータを格納する領域を利用しても良い。
【００４１】
閾値ＴＨｎ（Ｘ）は、推奨表示領域Ａｄ（Ｘ）を表示装置の表示画面に拡大表示させるか否かの判断基準である。つまり、閾値ＴＨｎ（Ｘ）は、領域絶対解像度Ｍ（Ａｄ（Ｘ））の推奨表示領域Ａｄ（Ｘ）を画面絶対解像度Ｎの表示画像Ｉｄの一部或いは全部として拡大表示させるために、画面絶対解像度Ｎが満たすべき条件を既定する値であり、領域絶対解像度Ｍ（Ａｄ（Ｘ））に表示倍率Ｒｄを乗算した値が設定される。つまり、閾値ＴＨｎ（Ｘ）は、領域絶対解像度Ｍ（Ａｄ（Ｘ））の推奨表示領域Ａｄを等倍以下の絶対解像度で表示するために必要な画面絶対解像度Ｎの最小値Ｎｍｉｎを示すものである。
【００４２】
つまり、閾値ＴＨｎ（Ｘ）は次式（５）で表される。
ＴＨｎ（Ｘ）＝Ｒｄ×Ｍ（Ａｄ（Ｘ））      ・・・・  （５）
【００４３】
なお、表示倍率Ｒｄは、領域絶対解像度Ｍ（Ａｄ（Ｘ））の推奨表示領域Ａｄ（Ｘ）を幾らの倍率で、表示画像Ｉｄ（Ａｄ（Ｘ））として表示させるかを示す値である。表示倍率Ｒｄは次式（６）で表される。
Ｒｒｄ＜Ｒｄ≦Ｎｍｉｎ（Ａｄ（Ｘ））／Ｍ（Ａｄ（Ｘ））≦  １                                                              ・・・・  （６）
【００４４】
上式（６）において、表示倍率Ｒｄが１以下に設定される理由は、推奨表示領域Ａｄ（Ｘ）を表示する表示装置の画面絶対解像度Ｎは領域絶対解像度Ｍ（Ａｄ（Ｘ））と同数である必要はなく、要求される表示の精細度（解像度）に応じて、領域絶対解像度Ｍ（Ａｄ（Ｘ））より少なくても良いからである。また、表示倍率Ｒｄが縮小率Ｒｒｄより大きな値に設定される理由は、表示倍率Ｒｄが縮小率Ｒｒｄ以下の値に設定されて、本発明を適応する前の表示画像Ｉｄ（Ａｄ（Ｘ））よりも推奨表示領域Ａｄ（Ｘ）が縮小表示されて劣化されるのを防止するためである。
【００４５】
さらに、上述の（６）式を満たすことを前提として、同一の映像コンテンツデータＤｃにおいて、推奨表示領域Ａｄを複数設定しても良い。そうすることによって、画面絶対解像度Ｎの値がそれぞれ異なる種々な表示装置に対しても、適切な表示倍率Ｒｄで推奨表示領域Ａｄ（Ｘ）を拡大表示させることができる。この目的のために、縮小率Ｒｒｄは画面絶対解像度Ｎの異なる値に対して、コンテンツ作成者が所望する拡大率に応じて複数種類設定される最低表示絶対解像度Ｎｍｉｎ（Ａｄ（Ｘ））のそれぞれに関連づけて決定される。このようにすることによって、同一の表示装置の表示画面において、推奨表示領域Ａｄ（Ｘ）を異なる値の表示倍率Ｒｄで拡大表示できる。
【００４６】
表示装置（表示画面）毎に複数種類設定される最低表示絶対解像度Ｎｍｉｎ（Ａｄ（Ｘ））値に応じて、適宜設定される表示倍率Ｒｄおよび閾値ＴＨｎ（Ｘ）を、それぞれ表示倍率Ｒｄ（Ｎｍｉｎ（Ａｄ（Ｘ）））および閾値ＴＨｎ（Ｎｍｉｎ（Ａｄ（Ｘ）））とすると、上式（５）および（６）に準じて、次式（７）および（８）で表すことができる。
ＴＨｎ（Ｎｍｉｎ（Ａｄ（Ｘ）））
＝Ｒｄ（Ｎｍｉｎ（Ａｄ（Ｘ）））×Ｍ（Ａｄ（Ｘ）） ・・・・  （７）
Ｒｒｄ＜Ｒｄ（Ｎｍｉｎ（Ａｄ（Ｘ）））≦Ｎｍｉｎ（Ａｄ（Ｘ））／Ｍ（Ａｄ（Ｘ））≦  １                                            ・・・・  （８）
【００４７】
なお、推奨表示領域情報Ｉａｄは表示する推奨表示領域Ａｄ（Ｘ）の選択基準を提供するものであって、ユーザは必ずしも表示装置の画面絶対解像度Ｎに矛盾無く適合する推奨表示領域Ａｄ（Ｘ）を選択する必要はない。つまり、ユーザが選択した推奨表示領域Ａｄの全てが、表示画面（表示画像Ｉｄ）中に収まるように表示させる必要がないことは言うまでもない。
【００４８】
映像コンテンツ制作者は、映像を撮影後に、撮影された画像（原画像Ｉｏ）の絶対解像度（画像絶対解像度Ｍ）より小さな絶対解像度（画面絶対解像度Ｎ）の表示装置に対しては、撮影画像（原画像Ｉｏ）のどの部分を表示するのが最適であるかという観点に基づいて、表示内容が逐次変化する原画像Ｉｏにおける推奨表示領域Ａｄ（Ｘ）を決定する。つまり、映像コンテンツデータＤｃの再生時に、推奨表示領域Ａｄ（Ｘ）が原画像Ｉｏと同期してどの位置に設定されているかを検出できるように、映像コンテンツデータＤｃは原画像Ｉｏと推奨表示領域情報Ｉａｄとを含んで生成される。
【００４９】
画像表示制御装置は、入力される映像コンテンツデータＤｃから推奨表示領域情報Ｉａｄを分離して、表示装置の表示画面の画面絶対解像度Ｎを閾値ＴＨｎ（Ｘ）と比較する。画面絶対解像度Ｎが閾値ＴＨｎ（Ｘ）より大きい場合には、映像コンテンツデータＤｃの再生と同期して推奨表示領域情報Ｉａｄに基づいた再生を行うことによって、低絶対解像度の表示画面を有する表示装置であっても、映像コンテンツ制作者の意図に沿った画面構成で見やすい再生画像を表示できる。なお、画面絶対解像度Ｎが閾値ＴＨｎ（Ｘ）より大きい場合には、表示画像Ｉｄは選択された推奨表示領域Ａｄ（Ｘ）を拡大表示する表示画像Ｉｄ（Ａｄ（Ｘ））と原画像Ｉｏの一部から構成される。さらに、画面絶対解像度Ｎが閾値ＴＨｎ（Ｘ）の整数倍より大きい場合には、表示画像Ｉｄは複数個の推奨表示領域Ａｄ（Ｘ）の拡大表示である表示画像Ｉｄ（Ａｄ（Ｘ））と原画像Ｉｏの一部から構成することも可能である。
【００５０】
なお、画面絶対解像度Ｎが閾値ＴＨｎ（Ｘ）より大きい場合には、推奨表示領域Ａｄ（Ｘ）のそれぞれに関して、さらに閾値ＴＨｎ（Ｎｍｉｎ（Ａｄ（Ｘ）））との比較が行われる。その結果に基づいて、複数の推奨表示領域Ａｄ（Ｘ）の何れが、拡大表示可能かの判定が行われる。同判定結果に基づいて、ユーザは表示装置の表示画像Ｉｄ中に拡大表示させる推奨表示領域Ａｄ（Ｘ）を選択するとともに、それぞれの表示方法も選択する。
【００５１】
図３を参照して、本発明の実施形態にかかる画像表示制御装置Ｄについて説明する。画像表示制御装置Ｄは、デマルチプレクサ１０、ＡＶデコーダ１１、ＣＰＵ１２、メモリ１３、およびバス１４を含む。デマルチプレクサ１０には、上述の種々のコンテンツデータ源の何れかに接続されて、映像コンテンツデータＤｃが入力される。デマルチプレクサ１０は、映像コンテンツデータＤｃをデマルチプレクスして、映像データＤｖ、音声データＤａ、および付加データＤｓのそれぞれのパケットに分離する。上述の推奨表示領域情報Ｉａｄは、付加データＤｓに含まれている。映像データＤｖおよび音声データＤａは、ＡＶデコーダ１１へ送られる。付加データＤｓはバス１４を介して直接メモリ１３に転送されるか、ＣＰＵ１２を経由してメモリ１３に転送される。
【００５２】
ＣＰＵ１２は、映像の再生時間Ｔ（Ｄｖ）を参照して、メモリ１３に記憶された推奨表示領域情報Ｉａｄに基づいて推奨表示領域Ａｄ（Ｘ）が有効となる時刻であれば、該当する推奨表示領域Ａｄ（Ｘ）を選択する。このとき、選択する推奨表示領域Ａｄ（Ｘ）は１つに限定されることなく、複数選択することも可能である。推奨表示領域情報Ｉａｄに基づいて、原画像Ｉｏの所定の部分を切り出して、表示画像Ｉｄのどの位置に表示画像Ｉｄ（Ａｄ（Ｘ））として表示させるかを決定して、ＡＶデコーダ１１を設定するＡＶ制御信号Ｓｖｃを生成する。
【００５３】
ＡＶデコーダ１１は、ＡＶ制御信号Ｓｖｃに基づいて、推奨表示領域Ａｄ（Ｘ）が拡大表示された表示画像Ｉｄ（Ａｄ（Ｘ））を含む表示画像Ｉｄを表す映像信号Ｓｖを生成する。なお、ＡＶデコーダ１１は、映像コンテンツデータＤｃの原画像Ｉｏから複数の映像（推奨表示領域Ａｄ（Ｘ））を切り出して、それぞれに決められた表示倍率Ｒｄで、表示画像Ｉｄ上に自由に配置する機能を備えている。このような機能を有するＡＶデコーダは公知であるので説明を省く。なお、ＡＶデコーダ１１は、音声データＤａから音声信号Ｓａを生成する。
【００５４】
次に、図４を参照して、本発明にかかる画像表示制御装置Ｄにおける推奨表示領域Ａｄ（Ｘ）が時間の経過と共にどのように拡大表示されるかについて説明する。なお、説明の簡便化上、推奨表示領域Ａｄ（Ｘ）は複数ではなく１つだけ設定されている場合について説明する。そして時刻ｔにおける、原画像Ｉｏおよび推奨表示領域Ａｄをそれぞれ原画像Ｉｏ（ｔ）および推奨表示領域Ａｄ（ｔ）と表示して識別する。
【００５５】
上述のように、本実施形態においては、原画像Ｉｏは動画であるので、その内容は時刻ｔの経過と共に変化する。図４には、時刻ｔ１、時刻ｔ２、および時刻ｔ３のそれぞれにおける原画像Ｉｏ（ｔ１）、推奨表示領域Ａｄ（ｔ１）および表示画像Ｉｄ（ｔ１）と、原画像Ｉｏ（ｔ２）、推奨表示領域Ａｄ（ｔ２）、表示画像Ｉｄ（ｔ２）と、原画像Ｉｏ（ｔ３）、推奨表示領域Ａｄ（ｔ３）、および表示画像Ｉｄ（ｔ３）とが対比して示されている。
同図に示すように、推奨表示領域Ａｄ（ｔ）の位置や大きさは、時刻ｔの経過と共に変化している。この変化に応じて、表示画像Ｉｄ（ｔ）にも、コンテンツ作成者が重要であると推奨表示領域情報Ｉａｄで指定する領域が、表示画面要求Ｒｑに従って自動的に拡大表示される。
【００５６】
図５および図６を参照して、本発明にかかる映像コンテンツデータＤｃの制作装置について説明する。図５に示すように、映像コンテンツデータ制作装置Ａｃは、ＡＶデータ蓄積器４、推奨表示領域編集器５、および映像コンテンツ記録媒体６を含む。ＡＶデータ蓄積器４に用意された映像データＤｖおよび音声データＤａに、映像コンテンツ制作者に意図に基づく奨表示領域情報Ｉａｄが推奨表示領域編集器５で付加されて映像コンテンツデータＤｃが生成される。映像コンテンツデータＤｃは、映像コンテンツ記録媒体６に記録される。映像コンテンツデータＤｃが記録された映像コンテンツ記録媒体６は直接ユーザに提供されても良いし、映像コンテンツ記録媒体６から映像コンテンツデータＤｃを読み出して放送などでユーザに対して配信されても良い。
【００５７】
図６に示すように映像コンテンツ記録媒体６に記録される映像コンテンツデータＤｃは、ＭＰＥＧ２−Ｓｙｓｔｅｍのトランスポート・ストリーム（ＴＳ：Ｔｒａｎｓｐｏｒｔ  Ｓｔｒｅａｍ）、またはプログラム・ストリーム（ＰＳ：Ｐｒｏｇｒａｍ  Ｓｔｒｅａｍ）のようなビットストリーム形式で多重化されている場合には、推奨表示領域情報Ｉａｄは独立したＰＥＳ（Ｐａｃｋｅｔｉｚｅｄ  Ｅｌｅｍｅｎｔａｒｙ  Ｓｔｒｅａｍ）で伝送される。図６において、Ｖは映像データＤｖ、Ａは音声データＤａ、Ｄは付加データＤｓのそれぞれのパケットを示している。推奨表示領域情報Ｉａｄは付加データＤｓの一部として記録されている。なお、映像コンテンツデータＤｃはデジタルではなくアナログであって良い。要するに、推奨表示領域Ａｄを示す推奨表示領域情報Ｉａｄを含む付加データＤｓが記録できれば、本発明においてデジタルの場合と同様に使用可能である。
【００５８】
映像コンテンツ記録媒体６には、上述の固定型映像コンテンツデータ源である放送局のサーバ装置で使用されるデータ蓄積装置や、可搬型映像コンテンツデータ源であるＤＶＤ（Ｒ）等のパッケージメディアも含まれる。よって、映像コンテンツ記録媒体６に記録された映像コンテンツデータＤｃの伝送は、パッケージメディアを使う以外に、放送、通信ネットワークのような通信メディアを使って行うこともできる。
【００５９】
図７を参照して、通信メディアを用いた映像コンテンツデータＤｃの伝送システムについて説明する。映像コンテンツデータ伝送システムＳｃは、映像コンテンツ記録媒体６、サーバ７、放送器８、および通信ネットワーク９を含む。映像コンテンツ記録媒体６から読み出された映像コンテンツデータＤｃは、サーバ装置７で放送およびネットワークの伝送路のそれぞれに相応しい形式の映像コンテンツデータＤｃｂおよび映像コンテンツデータＤｃｎに変換される。映像コンテンツデータＤｃｂは、放送器８に供給されて、放送としてユーザに配信される。映像コンテンツデータＤｃｎは、通信ネットワーク９に供給されて、ユーザにネット配信される。
【００６０】
また、映像コンテンツデータＤｃの本体を構成する音声データＤａおよび映像データＤｖと、付加データＤｓである推奨表示領域情報Ｉａｄとをそれぞれ異なる伝送経路で伝送することも可能である。映像データＤｖを放送器８で伝送し、推奨表示領域情報Ｉａｄを通信ネットワーク９で伝送しても良い。さらに、パッケージメディアの映像に対応する推奨表示領域情報Ｉａｄを通信ネットワーク９や放送器８で伝送する等の方法も可能である。
【００６１】
画像表示制御装置Ｄには、映像コンテンツデータＤＣの本体である映像データＤｖおよび音声データＤａと、付加データＤｓである推奨表示領域情報Ｉａｄとが入力される。そして、画像表示制御装置Ｄは、映像データＤｖから検出する映像の再生時間Ｔ（Ｄｖ）と、推奨表示領域情報Ｉａｄから検出する推奨表示領域Ａｄ（Ｘ）の有効時間とに基づいて、映像コンテンツの画像（原画像Ｉｏ）と推奨表示領域Ａｄ（Ｘ）との同期を取りながら再生するように構成されている。結果、推奨表示領域情報Ｉａｄを含まない既存の映像コンテンツデータ源（例えば、テレビ放送やパッケージメディア等）から供給される映像コンテンツデータであっても、通信ネットワークや放送で推奨表示領域情報Ｉａｄを提供することによって、当該推奨表示領域情報Ｉａｄで指定される映像コンテンツデータの中の推奨表示領域Ａｄ（Ｘ）の拡大表示ができる。
【００６２】
次に図８を参照して、同一の映像コンテンツデータＤｃに複数の推奨表示領域Ａｄが設定されている場合の、推奨表示領域Ａｄの拡大表示について説明する。本例においては、原画像Ｉｏには、それぞれが互いに重複しない推奨表示領域Ａｄ（１）、推奨表示領域Ａｄ（２）、推奨表示領域Ａｄ（３）、および推奨表示領域Ａｄ（４）が設定されている。そして、この４つの推奨表示領域Ａｄのそれぞれを規定する推奨表示領域情報Ｉａｄが映像コンテンツデータＤｃには含まれていることは、上述の通りである。
【００６３】
そして、画像表示制御装置Ｄは、推奨表示領域情報Ｉａｄに基づいて、推奨表示領域Ａｄ（１）、表示画像Ｉｄ（２）、推奨表示領域Ａｄ（３）、および推奨表示領域Ａｄ（４）のそれぞれに対応して、表示画像Ｉｄ（Ａｄ（１））、表示画像Ｉｄ（Ａｄ（２））、表示画像Ｉｄ（Ａｄ（３））、および表示画像Ｉｄ（Ａｄ（４））を表示画像Ｉｄ中に拡大表示する。なお、本例においては、表示画像Ｉｄは表示画像Ｉｄ（Ａｄ（１））、表示画像Ｉｄ（Ａｄ（２））、表示画像Ｉｄ（Ａｄ（３））、および表示画像Ｉｄ（Ａｄ（４）で占められているが、原画像Ｉｏ中の推奨表示領域Ａｄ（Ｘ）以外の部分を背景として表示できることは上述の通りである。
【００６４】
本例においては、原画像Ｉｏ中に設定されている４つの推奨表示領域Ａｄ（Ｘ）の全てが拡大表示される場合が示されているが、４つのうちの任意の幾つかを拡大表示することも容易である。また、本例においては、拡大表示される複数の推奨表示領域Ａｄ（ｘ）に対応する表示画像Ｉｄ（Ａｄ（ｘ））によて、表示画像Ｉｄが分割されているが、表示画像Ｉｄ（Ａｄ（ｘ））を互いに重ね合わせて表示させてもよい。
【００６５】
また、複数の推奨表示領域Ａｄ（ｘ）の幾つかが互いに重複して設定されている場合には、表示画像Ｉｄにおいても表示画像Ｉｄ（Ａｄ（１））、表示画像Ｉｄ（Ａｄ（２））、表示画像Ｉｄ（Ａｄ（３））、および表示画像Ｉｄ（Ａｄ（４））も表示画像Ｉｄ中で重複表示される。また、対応する表示画像Ｉｄ（Ａｄ（ｘ））を離間させて表示させてもよい。
【００６６】
図９に示すように、原画像ＩｏがＨＤ（Ｈｉｇｈ  Ｄｅｆｉｎｉｔｉｏｎ）のアスペクト比１６：９を有し、表示装置の表示画像ＩｄがＳＤ（Ｓｔａｎｄａｒｄ  Ｄｅｆｉｎｉｔｉｏｎ）のアスペクト比４：３を有する場合や、ＨＤの原画像Ｉｏをアスペクト比１６：９のＳＤの表示画像Ｉｄにダウンコンバートする場合には、それぞれ、推奨表示領域Ａｄ（Ｘ）がＳＤのアスペクト比を有するように指定する推奨表示領域情報Ｉａｄを設定する。つまり、同図において、表示画像Ｉｄ（ＨＤ／１６：９）、推奨表示領域Ａｄ（ＨＤ／４：３）、推奨表示領域Ａｄ（ＳＤ／４：３）、および推奨表示領域Ａｄ（ＳＤ／１６：９）と表示されている。
なお、上記２つの組み合わせで出力する場合の推奨表示領域情報Ｉａｄを付加された映像コンテンツデータＤｃを本発明の画像表示制御装置Ｄに入力して、表示装置に合わせた映像を出力させても良い。
【００６７】
なお、上述の如く、本明細書においては、映像コンテンツデータ源から供給される映像コンテンツデータＤｃの原画像Ｉｏの一部である推奨表示領域Ａｄ（Ｘ）を、表示装置の画面に表示画像Ｉｄ（Ａｄ（Ｘ））として拡大表示させる例について詳述している。しかしながら、本発明にかかる画像表示制御装置Ｄは、推奨表示領域Ａｄ（Ｘ）の拡大した画像表示画像Ｉｄ（Ａｄ（Ｘ））のデータを画像表示装置に出力して表示させるのみならず、当該データをプリンタや記録装置に出力して、印刷させたり記録メディアに記録させたりできる。
【００６８】
例えば、映像コンテンツデータ源として、ＤＶＤ（Ｒ）に記録されている原画像Ｉｏを不揮発性メモリに記録し、可搬型表示装置で記録された原画像Ｉｏを鑑賞する用途に対しては、使用する可搬型表示装置の画面絶対解像度Ｎに適合した推奨表示領域Ａｄ（Ｘ）を選択して表示画像Ｉｄ（Ａｄ（Ｘ））を録画させることができる。このような活用方法は、ＤＶＤと可搬型表示装置との組み合わせに限定されるのではなく、画像絶対解像度Ｍが画面絶対解像度Ｎより大きいという関係が存在する映像コンテンツデータ源と画像表示装置の組み合わせにおいて有用である。
【００６９】
さらに、画像絶対解像度Ｍが画面絶対解像度Ｎより大きいという関係は、映像コンテンツデータＤｃの原画像Ｉｏと表示装置の表示画面の表示画像Ｉｄとの関係に限定されるのではなく、推奨表示領域Ａｄ（Ｘ）の領域画像絶対解像度Ｍ（Ａｄ（Ｘ））が、表示画面の表示画像Ｉｄの一部で推奨表示領域Ａｄ（Ｘ）に対応して利用される表示画像Ｉｄ（Ａｄ）の画面絶対解像度Ｎ（Ａｄ）より大きいという関係が存在する場合にも、本発明は有効である。
【００７０】
また、図８に示した例におけるように、複数の推奨表示領域Ａｄ（Ｘ）を表示させる表示画像Ｉｄの分割画面の少なくとも一つに、推奨表示領域Ａｄ（Ｘ）の代わりにデータ放送表示画面やＥＰＧ（Ｅｌｅｃｔｒｉｃ  Ｐｒｏｇｒａｍ  Ｇｕｉｄｅ：電子番組ガイド）を表示させ、残りの分割画面に原画像Ｉｏを縮小して表示させるような用途が考えられる。この場合にも、原画像Ｉｏの画像絶対解像度Ｍ（Ｉｏ）が画面絶対解像度Ｎ（分割画面）より大きいという関係が成り立ち、本発明は有効である。
【００７１】
上述のように、本発明においては、映像コンテンツデータＤｃに含まれる原画像Ｉｏと同期して、当該原画像Ｉｏ中の特定の推奨表示領域Ａｄを指定する推奨表示領域情報Ｉａｄが新たに生成される。この推奨表示領域情報Ｉａｄは、好ましくは、原画像Ｉｏの画像絶対解像度Ｍと画面絶対解像度Ｎ（表示装置の表示能力）とを考慮して、コンテンツ制作者の意図が反映された画面が表示されるように映像コンテンツ制作者が成した判断に対応して決定される。
【００７２】
画像表示制御装置Ｄにおいては、推奨表示領域情報Ｉａｄに基づいて、原画像Ｉｏの特定の部分である推奨表示領域Ａｄ（Ｘ）を、表示画像Ｉｄ中に表示画像Ｉｄ（Ａｄ（Ｘ））として拡大表示する。結果、映像コンテンツ制作者の意図が反映された画面構成の表示画像Ｉｄが表示される。
【００７３】
また、映像コンテンツデータ源側で、推奨表示領域情報Ｉａｄを含む映像コンテンツデータＤｃを放送や記録媒体の形で供給するのが好ましい。しかしながら、推奨表示領域情報Ｉａｄを含まない従来の映像コンテンツデータの場合には、当該コンテンツデータの供給方法とは異なる供給方法（放送や記録媒体）で、平行して推奨表示領域情報Ｉａｄを供給してもよい。この場合、従来の映像コンテンツデータから、平行して供給された推奨表示領域情報Ｉａｄに基づいて、映像コンテンツ制作者の意図が反映された画面構成の表示画像Ｉｄが表示できる。このように、推奨表示領域情報Ｉａｄを含まない従来のコンテンツデータは従来の供給手段が利用でき、推奨表示領域情報Ｉａｄの平行供給手段としてはネットワーク通信等が利用できる。
【００７４】
映像コンテンツ記録媒体６に記録されている映像コンテンツデータＤｃを画像表示制御装置Ｄに伝送するには、映像コンテンツ記録媒体６から映像コンテンツデータＤｃを直接読み出す手段を備える以外に、映像コンテンツ記録媒体６を読み出した映像コンテンツデータＤｃを通信メディアで伝送する伝送手段を有するサーバ装置が使用できる。
【００７５】
さらに、原画像Ｉｏの画像絶対解像度Ｍ、或いは推奨表示領域Ａｄの領域絶対解像度Ｍ（Ａｄ）に対して、表示画像Ｉｄの画面絶対解像度Ｎが小さい画像表示装置においても、原画像Ｉｏから推奨表示領域Ａｄ（Ｘ）を切り出して、表示画像Ｉｄ（Ａｄ（Ｘ））として拡大表示させることによって、コンテンツ制作者の意図に沿い且つ見やすいコンテンツ画像が再生できる。
【００７６】
推奨表示領域情報Ｉａｄに加えて、推奨表示領域Ａｄ（Ｘ）が有効となる映像の再生時間情報を同時に付加データＤｓとして記録することで、映像コンテンツの再生映像に、推奨表示領域Ａｄ（Ｘ）を連動させるタイミングを正確に制御できる。
【００７７】
推奨表示領域情報Ｉａｄと、推奨表示領域Ａｄ（Ｘ）が有効となってからの継続時間とを付加データＤｓとして記録すれば、最後に使用した推奨表示領域Ａｄ（Ｘ）がいつまでも表示され続けるという状況を回避できる。
【００７８】
推奨表示領域Ａｄ（Ｘ）は同一の時間の原画像Ｉｏに対して１つとは限らず、複数の推奨表示領域Ａｄ（Ｘ）を有することで、表示画面の画面絶対解像度Ｎに応じて、複数の推奨表示領域Ａｄ（Ｘ）から最適なものを選択して表示画像Ｉｄ（Ａｄ（Ｘ））として拡大表示できる。
【００７９】
原画像Ｉｏに複数の推奨表示領域Ａｄ（Ｘ）が設定されている場合には、推奨表示領域情報Ｉａｄに、個々の推奨表示領域Ａｄ（Ｘ）に関して、優先度や、推奨される表示絶対解像度Ｎ（Ａｄ（Ｘ））や、含まれる映像の特徴を表す情報を持たせる。このような情報に基づいて、ユーザは表示させる推奨表示領域Ａｄ（Ｘ）を自身の好みに沿って的確に選択できる。
【００８０】
複数の推奨表示領域Ａｄ（Ｘ）が設定されている場合には、推奨表示領域情報Ｉａｄに基づいて、ユーザは拡大表示させる推奨表示領域Ａｄ（Ｘ）を任意に切り替えることができる。さらに、推奨表示領域情報Ｉａｄに、推奨表示領域Ａｄ（Ｘ）毎に表示時間や表示順番を指定しておくことで、拡大表示される推奨表示領域Ａｄ（Ｘ）が自動的に切り替えることができる。
【００８１】
さらに、推奨表示領域情報Ｉａｄに基づいて、表示画像Ｉｄを分割或いは重ね合わせて、同一或いは異なる推奨表示領域Ａｄ（Ｘ）を拡大表示できる。
【産業上の利用可能性】
【００８２】
本発明にかかる画像表示制御装置は、表示画面を構成する絶対解像度が表示すべき映像コンテンツデータの原画像の全部或いは一部の絶対解像度より小さい表示装置や表示データ作成装置、および表示データ記録装置等に利用できる。
【図面の簡単な説明】
【００８３】
【図１】本発明にかかる画像表示制御の基本的概念の説明図
【図２】図１に示した推奨表示領域の２つの例を示す説明図
【図３】本発明にかかる画像表示制御装置の構成を示すブロック図
【図４】本発明において、原画像と表示画像との時間経過による表示例を示す図
【図５】本発明にかかる映像コンテンツデータ制作装置の構成を示すブロック図
【図６】本発明にかかる映像コンテンツデータにおけるストリームパケット配列を示す図
【図７】本発明にかかる映像コンテンツデータ伝送システムの構成を示すブロック図
【図８】本発明において、推奨表示領域が４つ設定された場合の表示例を示す図
【図９】本発明において、原画像中に設定される異なるアスペクト比を有する複数の推奨表示領域の例を示す図
【符号の説明】
【００８４】
Ｉｏ  原画像
Ａｄ  推奨表示領域
Ｉｄ  表示画像
Ｄａ  音声データ
Ｄｓ  付加データ
Ｄｖ  映像データ
Ｄｃ  映像コンテンツデータ
Ｓｖｃ  ＡＶ制御信号
４  ＡＶデータ蓄積器
５  推奨表示領域編集器
６  映像コンテンツ記録媒体
７  サーバ
８  放送
９  通信ネットワーク
１０  デマルチプレクサ
１１  ＡＶデコーダ
１２  ＣＰＵ
１３  メモリ
１４  バス
【図１】
2005316007.tif 000003
【図２】
2005316007.tif 000004
【図３】
2005316007.tif 000005
【図４】
2005316007.tif 000006
【図５】
2005316007.tif 000007
【図６】
2005316007.tif 000008
【図７】
2005316007.tif 000009
【図８】
2005316007.tif 000010
【図９】
2005316007.tif 000011